(57)【要約】      （修正有）【課題】装着者が排泄したか否か、さらには排泄が便であるか尿であるかも知ることができる排泄検出装置を提供する。【解決手段】センサーシート１１は、表面導電フィルム１１１と裏面導電フィルム１１２と、２つの導電フィルム間に介在した吸水により導電率を生じる吸水導電層１１３とからなる少なくとも１つの電極部を有し、おむつの外皮、おむつの外皮の内側、おむつの内部に設けられ、前記電極部は、（ａ）前記股下中央後エリア、（ｂ）前記股下中央前エリアまたは前記股下中央最下エリア、（ｃ）前記股下中央前エリアまたは前記股下中央最下エリア、および前記股下中央後エリアに設けられる。検出装置は、２つの導電フィルム間に間欠的に電圧を印加する電圧発生部と、前記２つの導電フィルム間の電圧降下を参照電圧と比較する比較部とを備えている。【選択図】図１
2015206693.tif 000002
【特許請求の範囲】
【請求項１】
おむつのウエスト部に取り付けられる検出装置と、前記検出装置から股下中央前エリア、股下中央最下エリアまたは股下中央後エリアにわたって取り付けられるセンサーシートとを備えた排泄検出装置であって：
前記センサーシートは、表面導電フィルムと裏面導電フィルムと、２つの導電フィルム間に介在した吸水により導電率を生じる吸水導電層とからなる少なくとも１つの電極部を有し、おむつの外皮、おむつの外皮の内側、おむつの内部に設けられ、
前記電極部は、
（ａ）前記股下中央後エリア、
（ｂ）前記股下中央前エリアまたは前記股下中央最下エリア、
（ｃ）前記股下中央前エリアまたは前記股下中央最下エリア、および前記股下中央後エリアに設けられ；
前記検出装置は、２つの導電フィルム間に間欠的に電圧を印加する電圧発生部と、前記２つの導電フィルム間の電圧降下を参照電圧と比較する比較部とを備える；
ことを特徴とする排泄検出装置。
【請求項２】
離隔装置を備えた請求項１に記載の排泄検出装置であって：
前記検出装置は検出結果を送信する無線送信回路を備え、
前記離隔装置は前記無線送信回路から受信した検出結果を受信する無線受信回路と、検出結果を表示出力または音声出力する出力回路を備える；
ことを特徴とする排泄検出装置。
【請求項３】
おむつのウエスト部に取り付けられる検出装置と、前記検出装置から股下中央前エリア、股下中央最下エリアまたは股下中央後エリアにわたって取り付けられるセンサーシートを備えた排泄検出装置であって：
前記センサーシートは、平行導体線路またはＵ字抵抗線路と、前記平行導体線路間またはＵ字抵抗線路平行線路間に形成した吸水により導電率が変化する吸水導電層とからなるセンサ部を有し、前記平行導体線路または前記Ｕ字抵抗線路が形成されている面が、人体側を向くように、おむつの外皮、おむつの外皮の内側、おむつの内部に設けられ；
前記電極部は、
（ａ）前記股下中央後エリア、
（ｂ）前記股下中央前エリアまたは前記股下中央最下エリア、
（ｃ）前記股下中央前エリアまたは前記股下中央最下エリア、および前記股下中央後エリアに設けられ；
前記検出装置は、前記帰還抵抗線の２端子間に間欠的に電圧を印加する電圧発生部と、前記前記帰還抵抗線の電圧降下を参照電圧と比較する比較部とを備える；
ことを特徴とする排泄検出装置。
【請求項４】
離隔装置を備えた請求項３に記載の排泄検出装置であって：
前記検出装置は検出結果を送信する無線送信回路を備え、
前記離隔装置は前記無線送信回路から受信した検出結果を受信する無線受信回路と、検出結果を表示出力または音声出力する出力回路を備える；
ことを特徴とする排泄検出装置。
【発明の詳細な説明】
【技術分野】
【０００１】
本発明は、介護者等が、要介護者の排泄の有無を容易に知ることができ、さらには排泄が便であるか尿であるかを知ることができる、おむつに使用される排泄検出装置に関する。
【背景技術】
【０００２】
近時、介護が必要とされる老人等（以下、要介護者）の増加により、紙おむつの需要が増大している。
紙おむつに使用される、尿の吸収体として、高分子ポリマーが使用される。
要介護者に対しては、健康維持の上で、水分の摂取が健康な大人以上に求められており、しかも、発汗をすることがほとんどない。このため、要介護者については、高分子ポリマーによる尿の吸収が飽和しても、介護者が知ることできないのが現状である。
また、介護施設において、要介護者が便を排泄した場合、要介護者が排便があったことを介護者に知らせないことも多い。このような場合には、介護者は、便のにおいにより排便があったことを知ることになり、結果として、おむつ交換の時期が遅くなる。
【０００３】
このため、介護者が、要介護者の紙おむつを交換するべき時期を知らせる技術が提案されている。
たとえば、高分子ポリマーに、水分で発色する顔料を含ませておき、おむつの色が変色したときが、交換すべき時期を介護者に知らせる技術が知られている（特許文献１）。
また、紙おむつに、水分検出電極対を組み込んでおき、２つの電極間の抵抗を測定することにより、紙おむつを交換すべき時期を介護者に知らせる技術も知られている（特許文献２）。
【先行技術文献】
【特許文献】
【０００４】
【特許文献１】特許３３３４２３３
【特許文献２】特許３２４２３５８
【発明の開示】
【発明が解決しようとする課題】
【０００５】
特許文献１の技術（紙おむつを交換するべき時期を周囲の者に知らせる技術）は、幼児用おむつには有効である。
すなわち、母親等は、幼児のおむつが変色したことを容易に知ることができるため、紙おむつを交換するべき時期を容易に知ることができる。
しかし、要介護者の場合には、介護者が常時付き添っていることは実際上できないので、色変化により紙おむつを交換するべき時期を知らせる技術は、さほど有効ではない。
【０００６】
また、特許文献２の技術では、尿の広がった領域をセルごとに検出することができるものの、製造が極めて困難であり、普及するには至っていない。
【０００７】
しかも、特許文献１，２の技術では、便と尿とを区別して検出できないため、わずかな排尿があった場合等、排便がされておらず本来なら交換するべき時期ではないのに、交換時期だと錯誤する場合が生じる。
【０００８】
本発明の目的は、装着者が排泄したか否か、さらには排泄が便であるか尿であるかも知ることができる、おむつに使用される排泄検出装置を提供することである。
【課題を解決するための手段】
【０００９】
本発明は以下を要旨とする。
（１）
おむつのウエスト部に取り付けられる検出装置と、前記検出装置から股下中央前エリア、股下中央最下エリアまたは股下中央後エリアにわたって取り付けられるセンサーシートとを備えた排泄検出装置であって：
前記センサーシートは、表面導電フィルムと裏面導電フィルムと、２つの導電フィルム間に介在した吸水により導電率を生じる吸水導電層とからなる少なくとも１つの電極部を有し、おむつの外皮、おむつの外皮の内側、おむつの内部に設けられ、
前記電極部は、
（ａ）前記股下中央後エリア、
（ｂ）前記股下中央前エリアまたは前記股下中央最下エリア、
（ｃ）前記股下中央前エリアまたは前記股下中央最下エリア、および前記股下中央後エリアに設けられ；
前記検出装置は、２つの導電フィルム間に間欠的に電圧を印加する電圧発生部と、前記２つの導電フィルム間の電圧降下を参照電圧と比較する比較部とを備える；
ことを特徴とする排泄検出装置。
【００１０】
（２）
離隔装置を備えた請求項１に記載の排泄検出装置であって：
前記検出装置は検出結果を送信する無線送信回路を備え、
前記離隔装置は前記無線送信回路から受信した検出結果を受信する無線受信回路と、検出結果を表示出力または音声出力する出力回路を備える；
ことを特徴とする排泄検出装置。
【００１１】
（３）
おむつのウエスト部に取り付けられる検出装置と、前記検出装置から股下中央前エリア、股下中央最下エリアまたは股下中央後エリアにわたって取り付けられるセンサーシートを備えた排泄検出装置であって：
前記センサーシートは、平行導体線路またはＵ字抵抗線路と、前記平行導体線路間またはＵ字抵抗線路平行線路間に形成した吸水により導電率が変化する吸水導電層とからなるセンサ部を有し、前記平行導体線路または前記Ｕ字抵抗線路が形成されている面が、人体側を向くように、おむつの外皮、おむつの外皮の内側、おむつの内部に設けられ；
前記電極部は、
（ａ）前記股下中央後エリア、
（ｂ）前記股下中央前エリアまたは前記股下中央最下エリア、
（ｃ）前記股下中央前エリアまたは前記股下中央最下エリア、および前記股下中央後エリアに設けられ；
前記検出装置は、前記帰還抵抗線の２端子間に間欠的に電圧を印加する電圧発生部と、前記前記帰還抵抗線の電圧降下を参照電圧と比較する比較部とを備える；
ことを特徴とする排泄検出装置。
【００１２】
（４）
離隔装置を備えた請求項３に記載の排泄検出装置であって：
前記検出装置は検出結果を送信する無線送信回路を備え、
前記離隔装置は前記無線送信回路から受信した検出結果を受信する無線受信回路と、検出結果を表示出力または音声出力する出力回路を備える；
ことを特徴とする排泄検出装置。
【発明の効果】
【００１３】
本発明によれば、装着者が排泄したか否か、さらには排泄が便であるか尿であるかも知ることができる。
【図面の簡単な説明】
【００１４】
【図１】図１（Ａ）〜（Ｄ）は本発明の排泄検出装置の第１実施形態を示す説明図である。  図１（Ａ）は排泄検出装置１の正面図、図１（Ｂ）は側面図、図１（Ｃ）は側面拡大図、図１（Ｄ）は検出装置の上面図である。
【図２】図２は、検出装置１２を示すブロック図である。
【図３】図３は離隔装置４１を示すブロック図である。
【図４】図４は、排泄検出装置１が貼着されたおむつ５を、装着者６に装着する前の様子を示す図である。
【図５】図５は、排泄検出装置１が貼着されたおむつ５を、装着者６に装着した後の様子を示す図である。
【図６】図６（Ａ）〜（Ｄ）は本発明の排泄検出装置の第２実施形態を示す説明図である。  図６（Ａ）は排泄検出装置２の正面図、図６（Ｂ）は側面図、図６（Ｃ）は側面拡大図、図６（Ｄ）は検出装置２２の上面図である。
【図７】図７は、検出装置２２を示すブロック図である。
【発明を実施するための形態】
【００１５】
図１（Ａ）〜（Ｄ）は本発明の排泄検出装置の第１実施形態を示す説明図である。
図１（Ａ）は排泄検出装置１の正面図、図６（Ｂ）は側面図、図６（Ｃ）は側面拡大図、図１（Ｄ）は検出装置の上面図である。
図１において、排泄検出装置１は、センサーシート１１と検出装置１２とを備えている。
センサーシート１１は、おむつ生地と同様の可撓性を有しており、検出装置１２からおむつ（図４および図５の符号５参照）の外皮内側の股下中央前エリア、股下中央最下エリアおよび股下中央後エリアにわる領域に取り付けられる。
センサーシート１１は、表面導電フィルム１１１と、裏面導電フィルム１１２と、吸水により導電率を生じる吸水導電層１１３と、表面紙１１４と、裏面紙１１５と、配線１１６と、コネクタ１１８とからなる。
【００１６】
本実施形態において、電極部は２つである。第１電極部ＰＡは、股下中央前エリアＡに設けられ、第２電極部ＰＢは股下中央後エリアＢに設けられている。
電極部ＰＡ，ＰＢはそれぞれ、表面導電フィルム１１１と、裏面導電フィルム１１２と、フィルム１１１，１１２間の吸水導電層１１３とにより構成される。
表面導電フィルム１１１，裏面導電フィルム１１２は、多くの孔を有するカーボンフィルムからなる。孔Ｈは、尿をフィルム１１１，１１２間の吸水導電層１１３に浸透しやすくする。また、孔Ｈは、おむつ５（図４、図５参照）のむれを防ぐことができる。
吸水導電層１１３は、吸水量に応じて導電率が上昇する材料であり、たとえば、高分子ポリマーを使用することができる。
【００１７】
表面紙１１４および裏面紙１１５は和紙からなる。
表面紙１１４は、装着者の皮膚と、表面導電フィルム１１１，１１２や吸水導電層１１３との間に存在する。したがって、装着者の皮膚が表面導電フィルム１１１や吸水導電層１１３に触れることはない。
裏面紙１１５には、粘着層ＡＤが形成されている。粘着層ＡＤには離型紙ＲＰが貼着されている。
【００１８】
配線１１６は、表面紙１１４と吸水導電層１１３との間、および、裏面紙１１５と吸水導電層１１３との間に設けられている。配線１１６の表面が絶縁材で被覆されている。
コネクタ１１８は、センサーシート１１に取り付けられた硬質板からなる。コネクタ１１８には電極パッドａ1，ａ2、ｂ1，ｂ2からの配線１１５が接続されている。
【００１９】
検出装置１２の筐体には、スロットＳＬＴが形成されている。スロットＳＬＴには、センサーシート１１のコネクタ１１８が装着される。
さらに、検出装置１２の筐体には、電源スイッチ（ライドスイッチＳＳＷ）およびＬＥＤ1，ＬＥＤ2が設けられている。
【００２０】
図２は、検出装置１２を示すブロック図である。
検出装置１２は、制御部３２１と、電圧発生部３２２と、比較部３２３と、出力部３２４とからなる。
【００２１】
制御部３２１は、電圧発生部３２２、比較部３２３および出力部３２４を制御する。
後述するセレクタ３２２２とセレクタ３２３１とセレクタ３２３４とは、制御部３２１からの制御信号ＳＬＣＴにより同期制御される。
制御部３２１は、タイマーを内蔵しており、一定時間ごと（たとえば、１０分ごと）に排泄の検出を行うことができる
【００２２】
電圧発生部３２２は、電源（Ｖs）３２２１とセレクタ（ＳＷ）３２２２とからなる。電圧発生部３２２は、電源（Ｖs）３２２１を駆動して、セレクタ（ＳＷ）３２２２により、第１電極部ＰＡ（３１１）および第２電極部ＰB（３１２）にステップ電圧、パルス、直流電圧等を印加することができる。
【００２３】
比較部３２３は、電極部ＰＡ（３１１）を流れる電流を測定用抵抗ｒaの電圧降下として、順次測定することができる。また、比較部３２３は、第２電極部ＰB（３１２）を流れる電流を、測定用抵抗ｒbの電圧降下として測定することができる。
図２において、第１電極部ＰＡの抵抗値をＲAXで示し、第２電極部ＰＢの抵抗値をＲBXで示してある。
【００２４】
比較部３２３は、電流測定用抵抗ｒa，ｒbとセレクタ（ＳＷ）３２３１と、増幅回路（ＡＭＰ）３２３２と、比較回路（ＣＭＰ）３２３３と、セレクタ（ＳＷ）３２３４とからなる。
セレクタ３２３１が測定用抵抗ｒaを選択しセレクタ３２３４が参照電圧Ｖref1を選択したときは、比較回路３２３３は、増幅回路３２３２により増幅された測定用抵抗ｒaの電圧降下を検出することができる
セレクタ３２３１が測定用抵抗ｒaを選択しセレクタ３２３４が参照電圧Ｖref2を選択したときは、比較回路３２３３は、増幅回路３２３２により増幅された測定用抵抗ｒbの電圧降下を検出することができる
【００２５】
出力部３２４は、比較部３２３からの比較結果Ｖc1，Ｖc2に応じてＬＥＤ1，ＬＥＤ2を点灯させると同時に、図３に示す離隔装置４１に比較結果（排便検出信号や排尿検出信号）を送出することができる。出力部３２４は、ＬＥＤ駆動回路３２４１と、無線送信部３２４２とからなる。
【００２６】
図４は、排泄検出装置１が貼着されたおむつ５を、装着者６に装着する前の様子を示す図である。
【００２７】
図５は、排泄検出装置１が貼着されたおむつ５を、装着者６に装着した後の様子を示す図である。
【００２８】
以下、第１実施形態の作用を説明する。
制御部３２１は、タイマーにより計測時間を管理している。
計測時間になると制御信号ＳＬＣＴにより、セレクタ３２２２とセレクタ３２３１とを、第１電極部ＰＡ側にセットするとともに、セレクタ３２３４を参照電圧がＶref1となる側にセットする。
増幅器３２３２に増幅信号Ｖdtct1は、比較回路３２３３により参照電圧Ｖref1と比較される。図２では、吸水導電層１１３による抵抗をＲAXで示してある。抵抗ＲAXにおける電圧降下は、測定用抵抗ｒaの電圧降下として検出される。
この電圧降下は増幅器３２３２により増幅される。
【００２９】
図２では電極部ＰＡを流れる電流を
Ｖdtct1≧Ｖref1
のときは、ＬＥＤ駆動回路３２４１が駆動されＬＥＤ1が点灯されるとともに、無線送信部３２４２から排便検出信号が無線により、離隔装置４１（図３参照）に送出される。
離隔装置４１でも、後述するように、出力部４１３から排便検出表示等がなされる。
【００３０】
次に、制御信号ＳＬＣＴにより、セレクタ３２２２とセレクタ３２３１とを、第２電極部ＰＢ側にセットするとともに、セレクタ３２３４を参照電圧がＶref2となる側にセットする。
増幅信号Ｖdtct2は、比較回路１２３３により参照電圧Ｖref2と比較される。図２では、吸水導電層１１３による抵抗をＲBXで示してある。抵抗ＲBXにおける電圧降下は、測定用抵抗ｒbの電圧降下として検出される。
電極部ＰＢの電圧は増幅器３２３２により増幅され、増幅信号Ｖdtct2は、比較回路３２３３により参照電圧Ｖref2と比較される。
Ｖdtct2≧Ｖref2
のときは、ＬＥＤ駆動回路３２４１が駆動されＬＥＤ2が点灯されるとともに、無線送信部３２４２から排尿検出信号が無線により、図３の離隔装置４１に送出される。
【００３１】
無線受信部４１２は、上述した無線送信部３２４２からの排便検出信号を受信し、受信時刻をメモリに記憶するとともに、出力部４１３に出力指示信号を出力する。
出力部４１３は、少なくとも１のＬＥＤ、または／および少なくとも１つメロディ音により、排便・排尿があったことを介護者等に知らせることができる。
なお、記憶部４１４には、オムツ交換回数表示部が設けられており、過去のおむつ交換履歴（たとえば、何回のおむつ交換かなされたか）を表示することができる。
【００３２】
図６（Ａ）〜（Ｄ）は本発明の排泄検出装置の第２実施形態を示す説明図である。
図６（Ａ）は排泄検出装置２の正面図、図６（Ｂ）は側面図、図６（Ｃ）は側面拡大図、図６（Ｄ）は検出装置２２の上面図である。
図６において、排泄検出装置２は、センサーシート２１と検出装置２２とを備えている。
センサーシート２１は、おむつ生地と同様の可撓性を有しており、図１に示した排泄検出装置１と同様、検出装置２２からおむつ外皮の内側の股下中央前エリア、股下中央最下エリアおよび股下中央後エリアにわたる領域に取り付けられる。
センサーシート２１は、第1センサ抵抗線２１１、第２センサ抵抗線２１２と、吸水により導電率を生じる吸水導電層２１３と、表面紙２１４と、裏面紙２１５と、コネクタ２１８とからなる。
【００３３】
本実施形態において、センサ抵抗線は２つである。第1センサ抵抗線２１１は、股下中央前エリアＡに設けられ、第２センサ抵抗線２１２は股下中央後エリアＢに設けられている。
第1センサ抵抗線２１１および第２センサ抵抗線２１２は、それぞれ、先端U字形をなし、U字の平行部分間には、吸水導電層２１３を有している。吸水導電層２１３は、吸水量に応じて導電率が上昇する材料であり、たとえば、高分子ポリマーを使用することができる。
【００３４】
表面紙２１４および裏面紙２１５は和紙からなる。
表面紙２１４は、装着者の皮膚と、第1センサ抵抗線２１１、第２センサ抵抗線２１２および吸水導電層２１３との間に存在する。したがって、装着者の皮膚が表面第1センサ抵抗線２１１、第２センサ抵抗線２１２または吸水導電層２１３に触れることはない。
裏面紙２１５には、粘着層ＡＤが形成されている。粘着層ＡＤには離型紙ＲＰが貼着されている。
【００３５】
配線２１６，２１７は、表面紙２１４と吸水導電層１１３との間、および、裏面紙２１５と吸水導電層２１３との間に設けられている。配線２１６，２１７の表面が絶縁材で被覆されている。
コネクタ２１８は、センサーシート２１に取り付けられた硬質板からなる。コネクタ２１８には配線２１７が接続されている。
【００３６】
検出装置２２の筐体には、スロットＳＬＴが形成されている。スロットＳＬＴには、センサーシート２１のコネクタ２１８が装着される。
さらに、検出装置２２の筐体には、電源スイッチ（ライドスイッチＳＳＷ）およびＬＥＤ１，ＬＥＤ２が設けられている。
【００３７】
図７は、検出装置２２の構成を示すブロック図である。
検出装置２２の構成は図２に示した検出装置２２の構成とほぼ同じであるが、異なる点のみを以下に記す。
【００３８】
検出装置２２では、電圧発生部３２２は、電源（Ｖｓ）３２２１とセレクタ（ＳＷ）３２２２とからなり、電圧発生部３２２は、電源（Ｖｓ）３２２１を駆動して、セレクタ（ＳＷ）３２２２により、第1センサ抵抗線２１１、第２センサ抵抗線２１２にステップ電圧、パルス、直流電圧等を印加することができる。
【００３９】
比較部３２３は、第1センサ抵抗線２１１を流れる電流を測定用抵抗ｒａの電圧降下として、順次測定することができる。また、比較部３２３は、第２センサ抵抗線２１２を流れる電流を、測定用抵抗ｒｂの電圧降下として測定することができる。
図７において、第1センサ抵抗線２１１の端子間の抵抗値をＲＡＹで示し、第２センサ抵抗線２１２の端子間の抵抗値をＲＢＹで示してある。
【００４０】
以下、第２実施形態の作用を説明する。
制御部３２１は、タイマーにより計測時間を管理している。
計測時間になると制御信号ＳＬＣＴにより、セレクタ３２２２とセレクタ３２３１とを、第1センサ抵抗線２１１側にセットするとともに、セレクタ３２３４を参照電圧がＶｒｅｆ１となる側にセットする。
【００４１】
第1センサ抵抗線２１１の端子間電圧は増幅器１２３２により増幅され、増幅信号Ｖdtct1は、比較回路３２３３により参照電圧Ｖref1と比較される。
Ｖdtct1≧Ｖref1
のときは、ＬＥＤ駆動回路３２４１が駆動されＬＥＤ1が点灯されるとともに、無線送信部３２４２から排便検出信号が無線により、図３で説明した離隔装置４１に送出される。
離隔装置４１でも、後述するように、出力部４１３から排便検出表示等がなされる。
【００４２】
次に、制御信号ＳＬＣＴにより、セレクタ３２２２とセレクタ３２３１とを、第２センサ抵抗線２１２側にセットするとともに、セレクタ３２３４を参照電圧がＶref2となる側にセットする。
第1センサ抵抗線２１１の端子間電圧は増幅器３２３２により増幅され、増幅信号Ｖdtct2は、比較回路３２３３により参照電圧Ｖref2と比較される。
Ｖdtct2≧Ｖref2
のときは、ＬＥＤ駆動回路３２４１が駆動されＬＥＤ２が点灯されるとともに、無線送信部３２４２から排尿検出信号が無線により、離隔装置４１に送出される。
【００４３】
無線受信部４１２は、上述した無線送信部３２４２からの排便検出信号を受信し、受信時刻をメモリに記憶するとともに、出力部４１３に出力指示信号を出力する。
出力部４１３は、少なくとも１のＬＥＤ、または／および少なくとも１つメロディ音により、排便・排尿があったことを介護者等に知らせることができる。
なお、記憶部４１４には、オムツ交換回数表示部が設けられており、過去のおむつ交換履歴（たとえば、何回のおむつ交換かなされたか）を表示することができる。
【符号の説明】
【００４４】
１，２  排泄検出装置
５  おむつ
６  装着者
１１，２１  センサーシート
１２，２２  検出装置
４１  離隔装置
１１１  表面導電フィルム
１１２  裏面導電フィルム
１１３，２１３  吸水導電層
１１４，２１４  表面紙
１１５，２１５  裏面紙
１１６，２１６，２１７  配線
１１８，２１８  コネクタ
２１１  第1センサ抵抗線
２１２  第２センサ抵抗線
３２２  電圧発生部
３２３  比較部
３２４，４１３  出力部
３２４２，４１２  無線受信部
３２２２，３２２３，３２３１，３２３４  セレクタ
３２２１  電源（Ｖs）
３２３２  増幅回路（ＡＭＰ）
３２３３  比較回路
３２４１  ＬＥＤ駆動回路
ａ1，ａ2、ｂ1，ｂ2  電極パッド
ＬＥＤ1，ＬＥＤ2  発光ダイオード
ＰＡ  第１電極部
ＰＢ  第２電極部
ｒa，ｒb  測定用抵抗
ＳＬＴ  スロット
【図１】
2015206693.tif 000003
【図２】
2015206693.tif 000004
【図３】
2015206693.tif 000005
【図４】
2015206693.tif 000006
【図５】
2015206693.tif 000007
【図６】
2015206693.tif 000008
【図７】
2015206693.tif 000009